(57)【特許請求の範囲】
【請求項１】
携帯電子機器に装着されて該携帯電子機器に電力の供給を行う電池パックであって、
電池セルと、
前記電池セルの正極および負極にそれぞれ導通し、前記電池パックの表面に露出されるパック正極端子およびパック負極端子と、
前記パック正極端子および前記パック負極端子とともに前記電池パックの表面に露出される判別電極端子と、
前記判別電極端子に一端が接続されるストリップラインと、
前記電池セルおよび前記ストリップラインを覆うように貼り付けられる磁性シートと、を備えることを特徴とする電池パック。
【請求項２】
電池セルと、前記電池セルの正極および負極にそれぞれ導通し、表面に露出されるパック正極端子およびパック負極端子と、前記パック正極端子および前記パック負極端子とともに前記表面に露出される判別電極端子と、前記判別電極端子に一端が接続される第１ストリップラインと、を備える電池パックが装着されたときに、当該電池パックにより電力の供給がされて駆動される携帯電子機器であって、
前記電池パックが装着されたときに前記パック正極端子および前記パック負極端子に当接して導通する給電端子と、
前記電池パックが装着されたときに前記判別電極端子に当接して導通する判別端子と、
前記電池パックが装着されたときに前記第１ストリップラインと高周波的に結合する第２ストリップラインと、
前記第２ストリップラインに接続される検波部と、
所定の送信波を送信する送信部と、
制御部と、を備え、
前記制御部は、前記電池パックが装着されると、前記送信部に前記所定の送信波を前記判別端子及び前記判別電極端子を介して前記第１ストリップラインに対して送信させるとともに、当該送信波が前記第２ストリップラインにおいて受信された受信波を前記検波部により抽出し、当該抽出した受信波を前記送信波と比較し、該送信波に対する前記受信波の劣化状態に基づいて、装着されている前記電池パックが前記電池セルおよび前記第１ストリップラインを覆う磁性シートを有するかを判定することを特徴とする携帯電子機器。
【請求項３】
前記制御部は、前記送信波と前記受信波との比較の結果から算出した実測劣化率が、予め想定した想定劣化率と異なる場合には、前記磁性シートを有さない前記電池パックが装着されていると判定することを特徴とする請求項２に記載の携帯電子機器。
【請求項４】
磁界通信を行う磁界通信部と、表示部とを更に備え、
前記制御部は、前記磁性シートを有さない前記電池パックが装着されていると判定すると、前記表示部に、前記磁界通信部が使用不可であることを表示させることを特徴とする請求項３に記載の携帯電子機器。
【発明の詳細な説明】
【技術分野】
【０００１】
本発明は、携帯電話機などの携帯電子機器に装着される電池パックおよび該電池パックが装着された携帯電子機器に関する。
【背景技術】
【０００２】
携帯電話機などの携帯電子機器においては、その機能が高度化するに連れて、二次電池（バッテリ）の持ちが悪くなりつつある。そこで、追加の二次電池の電池パックを買い増すユーザが増えている。詳細な知識を持たないユーザは、電池パックが正規品（正規の製品）であるかどうかを確かめずに、電池パックを携帯電子機器に装着することがありうる。正規品ではない二次電池（正規品ではない品を以下「不正品」ともいう）を携帯電子機器に装着すると、機能を発揮しなかったり、誤動作したりする等の問題を発生する虞がある。
【０００３】
そこで、判別電極端子に接続された判別抵抗を二次電池に内蔵させて、正しい分圧値が得られない場合には保護回路を作動させて携帯電子機器への通電を停止する工夫や、そもそも電池パックの形状に特徴を持たせて、形状が正しくない電池パックを、携帯電子機器における電池パックの装着部に装着不可能とする工夫などが現在なされている。
【０００４】
また、下記特許文献１，２には、電池パックにＲＦＩＤ（Ｒａｄｉｏ  Ｆｒｅｑｕｅｎｃｙ  Ｉｄｅｎｔｉｆｉｃａｔｉｏｎ）のチップを埋め込み、電池パックが正規品であるかを判定する技術が開示されている。
【０００５】
【特許文献１】特開２００３−１６８４０６号公報
【特許文献２】特開２００５−３４１７７５号公報
【発明の開示】
【発明が解決しようとする課題】
【０００６】
しかし、電池パックの形状に特徴を持たせたとしても、携帯電子機器の種類が膨大になってくると、電池パックの形状だけでは差別化に限界が生じ、最終的には、他の電池パックが偶然、携帯電子機器に装着できてしまう場合が起こりうる。従って、電池パックの形状に特徴を持たせる工夫のみでは万全ではない。また、電池パックに判別抵抗やＲＦＩＤのチップを内蔵させることにより電池パックを判定する方法では、判別抵抗やＲＦＩＤのチップなどの二次電池の機能とは直接関係がない部品を電池パックに具備させることになるため、電池パックの構造が複雑となると共に電池パックをコストアップさせてしまう。
【０００７】
従って、本発明は、簡素な構造で、安価に正規品であるかを判定できる電池パック、及び該電池パックが装着された携帯電子機器を提供することを目的とする。
【課題を解決するための手段】
【０００８】
本発明の電池パックは、携帯電子機器に装着されて該携帯電子機器に電力の供給を行う電池パックであって、電池セルと、前記電池セルの正極および負極にそれぞれ導通し、前記電池パックの表面に露出されるパック正極端子およびパック負極端子と、前記パック正極端子および前記パック負極端子とともに前記電池パックの表面に露出される判別電極端子と、前記判別電極端子に一端が接続されるストリップラインと、前記電池セルおよび前記ストリップラインを覆うように貼り付けられる磁性シートと、を備えることを特徴とする電池パックに関する。
【０００９】
また、本発明の携帯電子機器は、電池セルと、前記電池セルの正極および負極にそれぞれ導通し、表面に露出されるパック正極端子およびパック負極端子と、前記パック正極端子および前記パック負極端子とともに前記表面に露出される判別電極端子と、前記判別電極端子に一端が接続される第１ストリップラインと、を備える電池パックが装着されたときに、当該電池パックにより電力の供給がされて駆動される携帯電子機器であって、前記電池パックが装着されたときに前記パック正極端子および前記パック負極端子に当接して導通する給電端子と、前記電池パックが装着されたときに前記判別電極端子に当接して導通する判別端子と、前記電池パックが装着されたときに前記第１ストリップラインと高周波的に結合する第２ストリップラインと、前記第２ストリップラインに接続される検波部と、所定の送信波を送信する送信部と、制御部と、を備え、前記制御部は、前記電池パックが装着されると、前記送信部に前記所定の送信波を前記判別端子及び前記判別電極端子を介して前記第１ストリップラインに対して送信させるとともに、当該送信波が前記第２ストリップラインにおいて受信された受信波を前記検波部により抽出し、当該抽出した受信波を前記送信波と比較し、該送信波に対する前記受信波の劣化状態に基づいて、装着されている前記電池パックが前記電池セルおよび前記第１ストリップラインを覆う磁性シートを有するかを判定することを特徴とする携帯電子機器に関する。
【００１１】
本発明の携帯電子機器においては、前記制御部は、前記送信波と前記受信波との比較の結果から算出した実測劣化率が、予め想定した想定劣化率と異なる場合には、前記磁性シートを有さない前記電池パックが装着されていると判定することが好ましい。
【００１２】
本発明の携帯電子機器は、磁界通信を行う磁界通信部と、表示部とを更に備え、前記制御部は、前記磁性シートを有さない前記電池パックが装着されていると判定すると、前記表示部に、前記磁界通信部が使用不可であることを表示させることが好ましい。
【発明の効果】
【００１４】
本発明によれば、簡素な構造で、安価に正規品であるかを判定できる電池パック、及び該電池パックが装着された携帯電子機器を提供することができる。
【発明を実施するための最良の形態】
【００１５】
以下、本発明を実施するための好ましい一実施形態について、図面を参照しながら説明する。まず、本発明の携帯電子機器の一実施形態である携帯電話機１の基本構造について、図１から図３を参照しながら説明する。本実施形態の携帯電話機１には、本発明の電池パックの一実施形態（電池パック９０）が装着されている。
【００１６】
図１は、本発明の一実施形態の携帯電話機１について、操作部側筐体２と表示部側筐体３とを開いた状態で示す斜視図である。図２は、図１に示す携帯電話機１を折り畳んだ状態で表示部側筐体３のリアケース３０ｂ側から視た斜視図である。図３は、図１に示す操作部側筐体２の分解斜視図である。
【００１７】
本実施形態における携帯電話機１は、図１及び図２に示すように、折り畳み型の携帯電話機１であって、略直方体形状の操作部側筐体２と、略直方体形状の表示部側筐体３と、操作部側筐体２と表示部側筐体３とを連結する連結部４と、を備える。
【００１８】
操作部側筐体２の上端部と表示部側筐体３の下端部とは、連結部４を介して開閉可能に連結されている。つまり、連結部４は、表示部側筐体３と操作部側筐体２とを開閉軸Ｘを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にすることができる。
【００１９】
次に、表示部側筐体３の詳細について説明する。表示部側筐体３は、図１及び図２に示すように、その外面が、フロントケース３０ａ及びリアケース３０ｂを主体として構成される。
【００２０】
表示部側筐体３の前面３ａは、フロントケース３０ａ及びカバー部材３３を主体として構成されている。前面３ａは、携帯電話機１を折り畳んだ状態で操作部側筐体２と向かい合う面である。表示部側筐体３の背面３ｂは、リアケース３０ｂを主体として構成されている。背面３ｂは、前面３ａとは反対側の面である。
【００２１】
表示部側筐体３内には、各種情報を表示させるメイン液晶モジュール３４が配置されており、メイン液晶モジュール３４は、その一方の面に設けられたメイン表示部３４ａが、透明部分を主体とするカバー部材３３を介して、フロントケース３０ａに形成された開口部から表示部側筐体３の前面３ａに露出するように配置されている。
【００２２】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００２３】
表示部側筐体３のリアケース３０ｂ側には、図２に示すように、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２４】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部などから構成される。
【００２５】
次に、操作部側筐体２の詳細について説明する。操作部側筐体２は、図１から図３に示すように、その外面が、フロントケース２１及びリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
【００２６】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２７】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２８】
前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００２９】
操作部側筐体２の側面２ｃには、例えば、外部機器（例えば、ホスト装置）とデータの送受信を行うためのインターフェース、ヘッドホン／マイク端子、着脱可能な外部メモリのインターフェース、電池パック９０（バッテリ）を充電するための充電端子が設けられている。
【００３０】
操作部側筐体２は、図３に示すように、主回路基板８０と、シールドケース７０と、キー基板６０と、キー構造部５０と、フロントケース２１及びリアケース２２と、を備えている。
【００３１】
シールドケース７０は、主回路基板８０に配置された電子部品（図示せず）を覆っている。
キー基板６０は、シールドケース７０上に配され、複数のキースイッチ６１、６２、６３を備えている。
キー構造部５０は、キー基板６０上に配され、複数のキースイッチ６１、６２、６３を押圧可能な押し子と、操作面を有するキートップとが、弾性を有するシリコンなどで構成された基体シート５１の表面に設けられて構成されている。
【００３２】
フロントケース２１は、キー構造部５０の操作面が露出する開口であるキー孔１３ａ、１４ａ、１５ａを備える。
フロントケース２１及びリアケース２２は、主回路基板８０、シールドケース７０、キー基板６０及びキー構造部５０を内包する。
【００３３】
フロントケース２１及びリアケース２２は操作部側筐体２の外面を形成する。フロントケース２１とリアケース２２とは、互いの凹状の内側面が向き合うように配置され、互いの外周縁が重なり合うようにして結合される。また、フロントケース２１とリアケース２２との間には、キー構造部５０、キー基板６０、シールドケース７０及び主回路基板８０が挟まれるようにして内蔵される。つまり、主回路基板８０を覆うようにしてシールドケース７０が積層配置され、また、シールドケース７０にキー基板６０が積層配置され、キー基板６０にキー構造部５０が積層配置される。
【００３４】
主回路基板８０におけるシールドケース７０側の面には、後述する制御部８６ｃ、記憶部８６ａ、電源回路８６ｂなどを構成する各種の電子部品（図示せず）が実装されている。各種の電子部品は、所定の組み合わせにより回路ブロック（図示せず）などを形成する。また、主回路基板８０は、後述する磁界アンテナ８６ｇにより、第１の使用周波数帯（例えば、１３．５６ＭＨｚ）で外部装置と磁界通信を行う磁界通信部８６ｆを備えている。
【００３５】
リアケース２２の一端側には、背面側に開口し、操作部側筐体２の前面２ａ側に凹んだ電池装着部２３が形成されている。電池装着部２３は、リアケース２２と取り外し可能な蓋部２４によって開放又は封鎖自在となっている。電池パック９０は、リアケース２２の電池装着部２３に外側から収納され、電池装着部２３が蓋部２４によって封鎖されることにより、携帯電話機１の操作部側筐体２に装着される。
【００３６】
リアケース２２は、公衆通信網と第１の使用周波数帯よりも高周波な周波数により、ＣＤＭＡ方式などで通信を行うためのメインアンテナ８６ｅと、電池装着部２３の外周に取り付けられて、ＲＦＩＤ通信（磁界通信）を行う磁界アンテナ（ＲＦＩＤアンテナ）８６ｇとを備えている。
【００３７】
磁界アンテナ８６ｇは、例えば、ＰＥＴ（ｐｏｌｙｅｔｈｙｌｅｎｅ  ｔｅｒｅｐｈｔｈａｌａｔｅ）材料からなるシート上に複数回渦巻き状に巻かれたコイルにより構成される磁界アンテナであって、外部装置との間で第１の使用周波数帯の信号を送受信する。
磁界通信部８６ｆは、磁界アンテナ８６ｇで受信された信号によって誘起された電力に基づいて所定の電圧を生成する電源回路と、磁界アンテナ８６ｇにより通信される信号に対して変調処理又は復調処理等の信号処理を行うＲＦ回路と、所定のデータが格納されているメモリと、を備えている。
【００３８】
ここで、磁界通信部８６ｆの動作について説明する。
磁界アンテナ８６ｇは、外部に設置されているリーダ・ライタ装置に対して、所定距離まで接近したときに、当該リーダ・ライタ装置から送信される電磁波（第１の使用周波数帯であるキャリア周波数（例えば、１３．５６ＭＨｚ）により変調されている）を受信する。
また、磁界アンテナ８６ｇにより電磁波が受信されると、電磁誘導作用により起電力が発生する。
【００３９】
磁界通信部８６ｆは、電磁誘導作用により発生した起電力に基づいて、後述する制御部８６ｃに対して起動信号を生成する。制御部８６ｃから起動を許可された後は、電池パック９０からの電力供給により動作することとなる。
【００４０】
そして、磁界通信部８６ｆは、ＲＦ回路から復調された信号に基づいて、内部に包含するメモリにデータを書き込む。又は、メモリからデータを読み出す。磁界通信部８６ｆは、メモリからデータを読み出した場合には、当該データに対してＲＦ回路により変調等の信号処理を行い、磁界アンテナ８６ｇを介して外部のリーダ・ライタ装置に伝達する。
このようにして、外部のリーダ・ライタ装置との間で磁界通信が行われる。
【００４１】
次に、本発明の一実施形態の電池パック９０について説明する。図４は、本実施形態の電池パック９０について一部を破断して示す斜視図である。図５は、図４に示す電池パック９０について一部を破断して示す模式的正面図である。図６は、図５に示す電池パック９０の模式的分解図である。図７は、図５に示す電池パック９０の回路ブロック図である。
【００４２】
本実施形態の電池パック９０は、携帯電話機１に装着されて、携帯電話機１に電力の供給を行うもので、携帯電話機１に備えられた電気要素に対する電力供給源として機能する二次電池である。本実施形態の電池パック９０は、図４から図７に示すように、電池セル９１と、電池セル９１の正極９１ａおよび負極９１ｂにそれぞれ導通し、電池パック９０の表面に露出されるパック正極端子９０ａおよびパック負極端子９０ｂと、パック正極端子９０ａおよびパック負極端子９０ｂとともに電池パック９０の表面に露出される判別電極端子９０ｃと、判別電極端子９０ｃに一端９２ａが接続されるストリップライン９２と、電池セル９１およびストリップライン９２を覆うように貼り付けられる磁性シート９３と、を備える。
【００４３】
電池パック９０は、上側面９１Ｓに正極９１ａ及び負極９１ｂを有する電池セル９１と、電池セル９１の上側面９１Ｓに対向して配置されるパック回路基板９４と、パック回路基板９４を被覆するカバー部材９５とを備えている。なお、本明細書において、電池パック９０の長手方向を上下方向と称する。また、電池セル９１には、（第１）ストリップライン９２、磁性シート９３、ラベルシート９６が設けられている。
【００４４】
電池パック９０は、全体視で矩形板状に形成されている。電池セル９１は、上側面９１Ｓに正極９１ａ及び負極９１ｂを備えている。電池セル９１の上側面９１Ｓは、細長い矩形形状を有している。負極９１ｂは、電池セル９１の上側面９１Ｓにおける長手方向の一方側から突出している。
【００４５】
電池セル９１の外面は、例えば、アルミニウム等の金属材料によって形成されている。電池セル９１は、その外面において負極９１ｂを除く領域が正極の機能を有しているが、本実施形態においては、電池セル９１の上側面９１Ｓにおいて負極９１ｂとは別に、負極９１ｂから所定の距離をあけて上側面９１Ｓに形成された凸状の領域を、正極９１ａと称して説明する。
【００４６】
パック回路基板９４は、パック正極端子９０ａ、パック負極端子９０ｂ、判別電極端子９０ｃ及び保護回路９４ａを備えている。パック正極端子９０ａは、保護回路９４ａ及び第１導通部材９７ａを介して電池セル９１の正極９１ａと導通される。パック負極端子９０ｂは、保護回路９４ａ及び第２導通部材９７ｂを介して電池セル９１の負極９１ｂと導通される。判別電極端子９０ｃは、第３導通部材９７ｃを介してストリップライン９２の一端９２ａに導通される。
【００４７】
つまり、第１導通部材９７ａは、その一端がパック正極端子９０ａに電気的に接続されると共に、その他端が電池セル９１の正極９１ａに当接する。第２導通部材９７ｂは、その一端がパック負極端子９０ｂに電気的に接続されると共に、その他端が電池セル９１の負極９１ｂに当接する。第３導通部材９７ｃは、その一端が判別電極端子９０ｃに電気的に接続すると共に、その他端がストリップライン９２の一端９２ａに当接する。
【００４８】
カバー部材９５は、その上面９５Ｓが電池セル９１の上側面９１Ｓと略同形状を有するブロック状の部材であり、パック回路基板９４の大部分を被覆すると共に、パック回路基板９４を電池セル９１に固定する。カバー部材９５の上面９５Ｓには、カバー部材９５が電池セル９１の上側面９１Ｓに取付けられた状態において、パック回路基板９４のパック正極端子９０ａ、パック負極端子９０ｂ及び判別電極端子９０ｃと対応する位置が開口した第１孔部９５ａ、第２孔部９５ｂ及び第３孔部９５ｃが設けられている。カバー部材９５の形成材料としては、例えば、合成樹脂系の材料が挙げられる。カバー部材９５は、ポリアミド樹脂などにより低温低圧成形にて構成してもよい。
【００４９】
従って、電池パック９０が操作部側筐体２に装着された状態においては、パック正極端子９０ａ、パック負極端子９０ｂ及び判別電極端子９０ｃは、操作部側筐体２に設けられた接続コネクタの端子（後述する給電端子８２、判別端子８３）と当接することによって、電池パック９０と操作部側筐体２における電気要素とが電気的に接続されることになる。
【００５０】
電池セル９１の前面９１Ｕには絶縁シート９８が貼り付けられている。絶縁シート９８は、電池セル９１の上側面９１Ｓを起点とし、前面９１Ｕの上端部において屈曲し、下側面９１Ｔ側に向けて延びているが、下側面９１Ｔには達していない。絶縁シート９８の幅は、電池セル９１の幅よりも狭い。絶縁シート９８は、薄い樹脂膜などから形成される。
【００５１】
絶縁シート９８の表面には、（第１）ストリップライン９２が貼り付けられている。第１ストリップライン９２は、金属膜、金属箔、板金などから形成される。第１ストリップライン９２の長さ及び幅は、それぞれ絶縁シート９８の長さ及び幅よりも小さい。従って、第１ストリップライン９２は、絶縁シート９８によって電池セル９１とは電気的に絶縁されている。第１ストリップライン９２の一端９２ａは、絶縁シート９８における電池セル９１の上側面９１Ｓに位置する部分上に位置し、電池セル９１に電気的に絶縁状態で、第３導通部材９７ｃを介して、判別電極端子９０ｃに電気的に接続されている。第１ストリップライン９２の他端９２ｂは、絶縁シート９８における電池セル９１の前面９１Ｕに位置する部分上に位置し、開放となっている。
【００５２】
ストリップライン９２の長さは、電池判別回路部８４の送信部８４ａ（詳細は後述）から送信される送信波の波長λに対して１／４の長さ（λ／４）となるのが最適であるが、操作部側筐体２に設けられた第２ストリップライン８５（詳細は後述）と高周波的な結合（高周波結合）が得られるのであれば、これよりも短くてもよい。
【００５３】
絶縁シート９８及び第１ストリップライン９２が貼り付けられた電池セル９１は、その大部分（電池セル９１の上側面９１Ｓを除く部分）が、磁性シート９３によって被覆されている。磁性シート９３は、例えばフェライト等の磁性材料と合成樹脂材料とから形成される。第１ストリップライン９２は、その全部又は大部分が磁性シート９３に被覆される。
【００５４】
磁性シート９３は、その全部又は大部分が、ラベルシート９６によって被覆されている。ラベルシート９６は、電池パック９０の外観面の大部分（カバー部材９５等を除く部分）を構成している。ラベルシート９６の表面（磁性シート９３に対向する面とは反対の面）には、例えば、電池パック９０の型番や規格、電池パック９０が装着される携帯電話機の製造社名（図示せず）などが表示されている。
【００５５】
ラベルシート９６を形成する材料は、特に制限されず、例えば、ＰＥＴ（ポリエチレンテレフタレート）等の合成樹脂材料が用いられる。特に、電池セル９１の外面を形成する材料（本実施形態では、例えば、アルミニウム）よりも熱伝導率の低い材料が好ましく用いられる。
【００５６】
尚、ラベルシート９６は、例えば、磁性シート９３によって被覆されていない電池セル９１の表面や、カバー部材９５の表面などを被覆してもよい。
【００５７】
電池パック９０の構成それぞれの位置関係およびその成形について、改めてまとめる。
電池セル９１は、先に述べたように略矩形状に形成されている。そして、電池パック９０が電池装着部２３に装着された際に、リアケース２２とフロントケース２１との重ね合わせ方向（電池装着部２３の深さ方向）に一致する方向を、電池セル９１あるいは電池パック９０の厚さ方向と規定する。電池セル９１の、厚さ方向におけるリアケース２２に対向する側の面には、絶縁シート９８が貼着され、さらに絶縁シート９８のリアケース２２側の面には、先に述べた第１ストリップライン９２が貼着されている。
【００５８】
一方、図３に示すように、電池装着部２３は、底面部２３ａと、底面部２３ａを囲む周壁部２３ｂとにより構成される凹形状を有している。給電端子８２および判別端子８３は、周壁部２３ｂの一部が切り欠かれて形成される切り欠き部から、電池装着部２３の内部向きに突出して設けられている。
【００５９】
電池パック９０は、前述した電池パック９０の厚さ方向に直交する方向に長手方向を有しており、この長手方向における一端面（上側面９１Ｓ）に、パック正極端子９０ａ、パック負極端子９０ｂ及び判別電極端子９０ｃが設けられたパック回路基板９４が取り付けられている。そして、電池パック９０が電池装着部２３に装着された際には、給電端子８２がパック正極端子９０ａ及びパック負極端子９０ｂに、そして判別端子８３が判別電極端子９０ｃに、それぞれ当接して導通可能な状態となる。
【００６０】
なお、パック回路基板９４は、絶縁シート９８と第１ストリップライン９２が電池セル９１に対して貼り付けられた後に、両面テープなどにより仮固定されて金型に装着され、金型に低融点で低圧成形可能なポリアミド樹脂などを充填してモールド成型されて固定される。カバー部材９５は、このようなプロセスで形成されたモールド成型部である。
このようにしてモールド成型が完了した後に、少なくとも各端子９０ａ，９０ｂ，９０ｃが露出された状態で、電池セル９１の厚さ方向におけるリアケース２２に対向する側の面、およびそれに隣接する面などに磁性シート９３が貼り付けられ、この磁性シート９３をさらに覆うようにラベルシート９６が貼り付けられて、電池パック９０が完成する。
【００６１】
ここで、磁性シート９３の役割について説明する。
既に述べたように、本発明における携帯電話機１は、磁界通信部８６ｆと磁界アンテナ８６ｇとを用いて磁界通信を行う機能を有する。ここで、磁界アンテナ８６ｇは、ループアンテナを形成する必要があり、スペース効率を良くするため、このループ内に電池装着部２３が形成されることが多い。この位置関係において、電池パック９０が電池装着部２３に装着されると、磁界アンテナ８６ｇのループ内に、金属物である電池セル９１等が存在することとなる。この場合、磁界アンテナ８６ｇにて生成させた電磁波が電池セル９１に至り、電池セル９１内で渦電流が発生し、磁界アンテナ８６ｇの生成する電磁波と逆位相の磁界が生じる等してしまうため、磁界アンテナ８６ｇのアンテナ特性が悪化してしまう場合がある。この影響は、電磁波が電池セル９１に至らないように磁気を遮蔽する磁性シート９３を介在させることにより回避することができる。
【００６２】
次に、操作部側筐体２の電池装着部２３に位置する第２ストリップライン８５について説明する。図８（ａ）は、蓋部２４が外された状態の操作部側筐体２をリアケース２２側から示す背面図であり、図８（ｂ）は、電池パック９０を第１ストリップライン９２側から視た正面図である。図９は、操作部側筐体２から電池パック９０を取り外した状態を模式的に示すＡ−Ａ’部分（図８参照）の断面図である。図１０は、操作部側筐体２に電池パック９０を装着した状態を模式的に示す断面図である。以下、図８から図１０を用いて、それぞれの部品の互いの位置関係を示す。
【００６３】
図１０に示すように、電池パック９０が操作部側筐体２の電池装着部２３に収納されて、電池パック９０が操作部側筐体２に装着された状態において、電池パック９０の第１ストリップライン９２は、操作部側筐体２側（主回路基板８０側）に位置する。
【００６４】
主回路基板８０の下面（リアケース２２側の面）には、絶縁体からなる端子台８１が配設されている。端子台８１における電池装着部２３側の面には、２個の給電端子８２及び１個の判別端子８３が設けられている。２個の給電端子８２は、電池パック９０が操作部側筐体２に装着された状態において、パック正極端子９０ａに当接する第１給電端子８２ａと、パック負極端子９０ｂに当接する第２給電端子８２ｂとからなる。判別端子８３は、電池パック９０が操作部側筐体２に装着された状態において、判別電極端子９０ｃに当接する。
給電端子８２及び判別端子８３は、端子台８１から突出して設けられ、弾性体を有する金属片などから構成される。
【００６５】
電池装着部２３の底面部（操作部側筐体２の背面２ｂを向く面）２３ａには、第２ストリップライン８５が配設されている。第２ストリップライン８５は、帯状の板金部材などから形成され、その一端８５ａが電池判別回路部８４（詳細は後述）に電気的に接続されている。第２ストリップライン８５の他端８５ｂは電池装着部２３の底面部２３ａ上において開放されている。
【００６６】
電池パック９０が電池装着部２３に収納された状態において、第２ストリップライン８５は、電池パック９０における第１ストリップライン９２と近接して重なる位置に配設される。従って、電池パック９０が操作部側筐体２に装着された状態において、第１ストリップライン９２と第２ストリップライン８５とは高周波的に容易に結合する。ここでいう「重なる」とは、電池パック９０が装着された操作部側筐体２を、背面２ｂから前面２ａに向けて視た場合において重なる（リアケース２２とフロントケース２１との重ね合わせ方向あるいは電池装着部２３の深さ方向において重なる）ことを意味する。第１ストリップライン９２と第２ストリップライン８５との重なりの程度は、大きい方が好ましい。
【００６７】
次に、機能ブロック図を参照して、本実施形態の携帯電話機１の機能について説明する。図１１は、本実施形態の携帯電話機１の機能を示す機能ブロック図である。図１２は、電池判別回路部８４を示す回路ブロック図である。
図１１に示すように、本実施形態の携帯電話機１における操作部側筐体２は、記憶部８６ａと、電源回路８６ｂと、送信部８４ａと、検波部８４ｂと、各部を制御する制御部８６ｃ（比較部８４ｃを含む）と、第２ストリップライン８５とを備える。操作部側筐体２は、給電端子８２（８２ａ、８２ｂ）と、判別端子８３とを備えている。制御部８６ｃは、後述するように比較部８４ｃとしても機能する。送信部８４ａと、検波部８４ｂと、比較部８４ｃとから電池判別回路部８４が形成される。
【００６８】
また、操作部側筐体２は、ＣＤＭＡ通信などを行うメイン通信部８６ｄおよびメインアンテナ８６ｅと、磁界通信部８６ｆと、磁界アンテナ８６ｇとを備える。更に、操作部側筐体２又は表示部側筐体３は、操作キー群１１と、メイン表示部３４ａと、サブ表示部３６ａと、音声処理部８６ｈと、音声入力部１２と、音声出力部３１とを備える。
【００６９】
電池パック９０は、電池セル９１と、第１ストリップライン９２とを備えている。また、電池パック９０は、パック正極端子９０ａと、パック負極端子９０ｂと、判別電極端子９０ｃとを備えている。
【００７０】
記憶部８６ａは、揮発性又は不揮発性の半導体記憶素子から構成されており、制御部８６ｃの作業領域などとして利用される。
【００７１】
電源回路８６ｂは、給電端子８２を介して電池パック９０から供給される電源電圧を所定の電圧に変換し、変換後の電圧を携帯電話機１の各部に供給する。
【００７２】
音声処理部８６ｈは、制御部８６ｃの制御に従って、通話時における相手側の音声を音声出力部３１から出力し、また、音声入力部１２から入力されたユーザの声に信号処理を行う。
【００７３】
送信部８４ａは、制御部８６ｃの制御に従って、所定の送信波（キャリア）を送信する。
【００７４】
検波部８４ｂは、第１ストリップライン９２において受信され、更に第２ストリップライン８５に搬送された受信波（高周波）を整流して取り出す。
【００７５】
次に、制御部８６ｃの構成について説明する。制御部８６ｃは、電源回路８６ｂのＯＮ／ＯＦＦを制御する電源回路制御部として機能する。また、制御部８６ｃは、メイン通信部８６ｄ及び磁界通信部８６ｆを制御する通信制御部として機能する。また、制御部８６ｃは、メイン表示部３４ａ及びサブ表示部３６ａを制御する表示制御部として機能する。また、制御部８６ｃは、音声処理部８６ｈを制御する音声制御部として機能する。
【００７６】
制御部８６ｃは、送信部８４ａに所定の送信波を送信させるように制御する送信波制御部として機能する。
制御部８６ｃは、送信波を第１ストリップライン９２において受信した受信波を送信波と比較し、送信波に対する受信波の劣化状態に基づいて、装着されている電池パック９０が磁性シート９３を有するかを判定する比較部８４ｃとして機能する。つまり、送信波に対する受信波の劣化がほとんどなければ、電池パックは磁性シートを有さないと判別でき、一方、送信波に対する受信波の劣化が認識できれば、電池パックは磁性シートを有すると判別できる。
【００７７】
次に、電池判別回路部８４について説明する。電池判別回路部８４は、図１２に示すように、送信部８４ａ、検波部８４ｂ及び比較部８４ｃを主体として構成される。
【００７８】
送信部８４ａは、判別端子８３及び判別電極端子９０ｃを介して第１ストリップライン９２の一端９２ａに電気的に接続される。検波部８４ｂは、操作部側筐体２に設けられた第２ストリップライン８５の一端８５ａに電気的に接続される。
なお、前記においては、送信部８４ａが第１ストリップライン９２に接続され、検波部８４ｂが第２ストリップライン８５に接続される例を示したが、この関係は逆であってもよい。
【００７９】
電池パック９０に貼り付けられた磁性シート９３による電磁波の吸収量は、周波数特性を有している。また、２つのストリップライン９２，８５における高周波結合の結合量にも周波数特性がある。従って、送信波の周波数は、これらの２つの周波数特性を考慮して設定する。例えば、送信波の周波数を、磁界アンテナ８６ｇにて取り扱われる周波数に近い周波数を用いることにより、磁性シート９３の有無により、検波時の劣化率が明確に現れるように構成することもできる。それとは逆に、送信波の周波数を予め設定し、その周波数で最適な前記吸収量及び前記結合量が得られるように、磁性シート９３の特性やストリップライン９２，８５の寸法などを設定してもよい。
【００８０】
第２ストリップライン８５の長さは、送信波の波長λの１／４（λ／４）が最適であるが、第１ストリップライン９２との高周波結合における結合量が十分に得られる場合には、λ／４よりも短くてもよく、また電池パック９０の第１ストリップライン９２の長さと同じでなくてもよい。
【００８１】
比較部８４ｃは、例えば、送信波の信号パターンのＯＮ区間と受信波の信号パターンのＯＮ区間とが一致するかを比較する。あるいは、比較部８４ｃは、送信波の信号パターンの波高と受信波の信号パターンの波高とが一致するかを比較する。そして、比較部８４ｃは、送信波と受信波との比較の結果から算出した実測劣化率が、予め想定した想定劣化率と異なる場合には、磁性シートを有さない電池パックが装着されていると判定する。想定劣化率は、適宜設定される。想定劣化率を設定すると、それを基準として電池パックにおける磁性シートの有無を容易に判別できる。
【００８２】
制御部８６ｃは、磁性シートを有さない電池パックが操作部側筐体２に装着されていると判定すると、磁界アンテナ８６ｇが本来の性能を発揮できない可能性があるため、メイン表示部３４ａ及び／又はサブ表示部３６ａに、磁界通信部８６ｆが使用不可であることを表示させる表示制御部として機能する。
【００８３】
あるいは、制御部８６ｃは、磁性シートを有さない電池パックが装着されていると判定すると、磁界通信部８６ｆが有するアンテナ整合回路を、磁性シートを有さないときの状態にマッチするように調整するアンテナ整合制御部として機能してもよい。
【００８４】
メイン通信部８６ｄは、メインアンテナ８６ｅを介して、所定の使用周波数帯により外部装置と通信を行う。メイン通信部８６ｄによれば、一般的な携帯電話機と同様に、無線通信により最寄りの基地局を介して、公衆の通信網に接続できる。
【００８５】
磁界通信部８６ｆは、磁界アンテナ８６ｇを介して、ＲＦＩＤ（Ｒａｄｉｏ  Ｆｒｅｑｕｅｎｃｙ  Ｉｄｅｎｔｉｆｉｃａｔｉｏｎ）の技術により、非接触式（無線式）通信を行う。
【００８６】
電池パック９０の判別電極端子９０ｃは、判別端子８３を介して、主回路基板８０に設けられた電池判別回路部８４に接続される。
【００８７】
次に、以下の３種の電池パックが操作部側筐体２に装着されている場合について、それぞれにおける携帯電話機１の動作について説明する。
＜１＞第１の不正電池パック・・・ストリップラインを有さない。
＜２＞第２の不正電池パック・・・ストリップラインを有するが、磁性シートを有さない。
＜３＞磁性シート９３を有する正規品の電池パック９０（本実施形態の携帯電話機１に対応する電池パック）
【００８８】
＜１＞第１の不正電池パックの場合
まず、第１の不正電池パックが操作部側筐体２に装着されている場合における、携帯電話機１の動作について説明する。第１の不正電池パック（便宜上、符号「９０”」を付す）には、本実施形態の第１ストリップライン９２が設けられていないため、第２ストリップライン８５に高周波結合すること自体が発生しない。よって、送信部８４ａから第１ストリップライン９２に送信波を出力しようとされることがない。あるいは高周波結合が多少生じても結合部分で抵抗値が大きかったり、他のノイズ成分を大きく含んだりするため、第２ストリップライン８５において、搬送波は受信されないか、あるいは受信されたとしても、大きく減衰して他のノイズの影響を受けていたりして、元の信号パターンが再現されなかったりする。
【００８９】
すなわち、例えば、送信部８４ａから送信された送信波の信号パターンのＯＮ区間と、検波部８４ｂを経て整流された搬送波の信号パターンのＯＮ区間とを比較し、両者が実質的に一致すると判定されることはないため、これをもって、比較部８４ｃは、装着中の電池パック９０”が不正品であることを判定することができる。
【００９０】
＜２＞第２の不正電池パックの場合
次に、磁性シートを有さない第２の不正電池パック（便宜上、符号「９０’」を付す）が操作部側筐体２に装着されている場合における、携帯電話機１の動作について説明する。第２の不正電池パック９０’は、磁性シートを有さない以外は、本実施形態の電池パック９０と同様の構成を有する電池パックである。
【００９１】
このような第２の不正電池パック９０’としては、例えば、電池セルの性能が等しく、偶然外形のみ合致して、磁界通信機能を有さない他の携帯電話機用としては正規品である電池パックや、第１の不正電池パックよりも模倣レベルの高い不正電池パックなどが挙げられる。
【００９２】
ここで、電池パック９０の模造品を作る際の不正業者の心理について考察する。携帯電話機１が動作すれば充分であるため、電池装着部２３に合う外形、電池セル９１とほぼ同様の電圧電流値の電池セルを有している場合には、本来の能力が完全に得られるかどうかを問わなければ、携帯電話機１の動作自体は行うことができる。また、第１ストリップライン９２については、判別用と思しき端子に接続されているため、模造品業者としては、ここまでは模造することが予想される。しかし、磁性シート９３は、電池パックの能力には何ら影響がないことが分かっているため、模造品には貼り付けられないであろうことが想像されるであろう。
つまり、第２の不正電池パック９０’は、第１ストリップライン９２、判別電極端子９０ｃ等を備えている。
【００９３】
送信部８４ａから送信された送信波は、判別端子８３及び判別電極端子９０ｃを介して電池パック９０’の第１ストリップライン９２に給電（受信）され、放射される。操作部側筐体２の第２ストリップライン８５は、電池パック９０’の第１ストリップライン９２との高周波結合における結合量に応じて、放射された搬送波を受信する。第２ストリップライン８５において受信された搬送波は、電池判別回路部８４におけるフィルタ８４ｄ及び検波部８４ｂを経て検出される。
【００９４】
比較部８４ｃは、例えば、送信部８４ａから送信された送信波の信号パターンのＯＮ区間と、検波部８４ｂを経て整流された搬送波の信号パターンのＯＮ区間とを比較し、両者が実質的に一致したと判定されたときには、当該電池パック９０’は、第１ストリップライン９２を有する点で正規品であると判定される。更に、磁性シート９３を有さないので、減衰する要素がほとんどない状態で高周波結合しているため、送信部８４ａから送信された送信波と検波部８４ｂを経て整流された搬送波の信号パターンとが、波形が実質的に一致し、波高についてもわずかな減衰しかみられない。このとき、磁性シート９３を有さない第２の不正電池パックであると判定することができる。
【００９５】
＜３＞磁性シート９３を有する正規品の電池パック９０
次に、磁性シート９３を有する正規品の電池パック９０（本実施形態の電池パック９０）が操作部側筐体２に装着されている場合における、携帯電話機１の動作について説明する。
【００９６】
送信部８４ａから送信された送信波（搬送波）は、電池パック９０の第１ストリップライン９２に給電（受信）され、放射される。第１ストリップライン９２から放射した搬送波の一部は、磁性シート９３により吸収される。その結果、操作部側筐体２の第２ストリップライン８５において受信された搬送波は、その振幅のレベルが下がる。よって、フィルタ８４ｄ及び検波部８４ｂを経て整流された後、比較部８４ｃに入力されると、比較部８４ｃでは、その振幅レベルが減衰していることを検知できる。しかし、このときも信号パターンはほぼ維持されるので、比較部８４ｃは、入力された信号パターンが実質的に一致するが、信号パターンの波高が大きく異なるため、装着された電池パック９０が、磁性シート９３を有する正規品であることを判定することができる。
以上の手法により、３種の電池パックの判別を行うことができる。
【００９７】
次に、図１３を参照して、電池パックの真贋（正規品／不正品）を判定した後における携帯電話機１の動作について説明する。図１３は、携帯電話機１の動作のフローチャートを示す図である。
【００９８】
ステップＳ１において、比較部８４ｃは、送信波の信号パターンと受信波の信号パターンとを比較する。両信号パターンがほぼ一致している（ここでは信号の電圧の大小は問わない）と判断された場合には、電池パックは正規品である可能性があると判定され、ステップＳ２に進む。
【００９９】
一方、両信号パターンが一致しないと判断された場合には、明らかに電池パックが不正品であると判断できるため、制御部８６ｃにより電源回路８６ｂをＯＦＦ制御し、携帯電話機１の起動を中止する（ステップＳ３）。なお、携帯電話機１の起動を中止するのに代えて、携帯電話機１の動作を不可能な状態とした上で、例えばメイン表示部３４ａに「不正品の電池パックが装着されている」旨を表示し、ユーザに告知することもできる。
【０１００】
ステップＳ２において、受信波の信号パターンの波高（Ｖ）がしきい値以上であるかを判定する。該しきい値は、電池パックにおける磁性シートの有無を判別するのに適した値に設定され、磁性シート９３の特性と搬送波の周波数とに左右されるため、このしきい値は、携帯電話機１のメーカーが社外秘情報として保有する。磁性シート９３を有する正規品の電池パック９０が装着された場合には、受信波の信号パターンの波高（Ｖ）がしきい値未満（ＮＯ）となる。この場合には、その電池パックを使用しても問題は生じないため、制御部８６ｃにより電源回路８６ｂをＯＮ制御し、携帯電話機１を通常に起動する（ステップＳ４）。
【０１０１】
一方、磁性シートを有さない電池パックが装着された場合には、受信波の信号パターンの波高（Ｖ）がしきい値以上（ＹＥＳ）となる。
ところで、この場合において、電池セル９１が正規品と同じものであって、単に磁界通信非対応に過ぎない同じメーカーの携帯電話機用の電池パックであったときには、磁界通信による非接触通信を行わなければ特段の問題は生じない。そして、非接触通信を行う際には、先に述べたように磁性シートを有さないゆえに磁界アンテナ８６ｇが規定の性能を得られない。また、ステップＳ４にてＹＥＳの場合には、精度の高い模造品の電池パックである可能性も捨てきれない。
【０１０２】
そこで、ステップＳ５において、携帯電話機が非接触型ＩＣカード対応型であるかついて判定する。携帯電話機が非接触型ＩＣカード対応型であるかについては、そもそもメーカー出荷段階で制御部８６ｃ自身に認識させておけばよい。あるいは、非接触型ＩＣカードの利用の際のアプリケーションプログラムが記憶部８６ａに収納されているかどうかで判断してもよい。
【０１０３】
そして、携帯電話機が非接触型ＩＣカード対応型であると判定された場合には、ステップＳ６において、非接触型ＩＣカード対応の機能を制限した状態で、携帯電話機１を起動する（このような起動を以下「制限起動」という）。制限起動を行う理由は、この状態においては、非接触型ＩＣカードに関する動作を行うには支障はあるが、非接触型ＩＣカードとは無関係な機能（例えば単なる通話）は問題なく行うことができるため、非接触型ＩＣカード対応の動作のみを制限し、その他の機能を使用できるようにするためである。ただし、模造レベルの高い不正な電池パックである可能性もあるため、メイン表示部３４ａなどに「不正な電池パックが装着されている可能性がある」旨を報知させ、ユーザが操作キー群１１により了承する操作がなされた場合にのみ携帯電話機の起動を継続させる（ステップＳ６）。
【０１０４】
一方、携帯電話機１が非接触型ＩＣカード対応型ではないと判定された場合（ステップＳ５“ＮＯ”）には、磁界通信自体が行われない端末であると判断されるため、磁性シートを有さない電池パックであっても特段の問題は生じない。しかし、ステップＳ５“ＹＥＳ”の場合と同様に、模造レベルの高い不正な電池パックである可能性もあるため、メイン表示部３４ａによる報知と、ユーザの操作による了承がなされた場合にのみ、制御部８６ｃにより電源回路８６ｂをＯＮ制御し、携帯電話機１を通常に起動する（ステップＳ４）。
なお、メイン表示部３４ａにより不正品である可能性がある旨の報知を行った際に、ユーザが了承しなかった場合には、電源の起動を中止する。
【０１０５】
その後、携帯電話機１の起動時又は非接触型ＩＣカード対応機能の起動時に、携帯電話機１のメイン表示部３４ａに「正規ではない電池パックが装着されている」旨を表示し、ユーザに告知することもできる。
また、非接触型ＩＣカード用のアンテナ（つまり磁界アンテナ８６ｇ）について、その共振周波数を調整可能な構成としておき、ステップＳ５にて“ＹＥＳ”と判定された場合に、磁性シートを有さない電池パック９０’であってもアンテナ特性が最適となるように共振周波数を調整するようにしてもよい。
【０１０６】
本実施形態の電池パック９０によれば、判別電極端子９０ｃに一端９２ａが接続される第１ストリップライン９２と、電池セル９１及び第１ストリップライン９２を覆うように貼り付けられる磁性シート９３とを備えている。そのため、携帯電話機１の構成を工夫することにより、前述したように、電池パックの真贋及び／又は電池パックにおける磁性シートの有無を容易に判定することができる。従って、形状や電圧の一致する不正品や、形状及び電圧が一致するが磁性シートを有さない正規品が携帯電話機１に装着されたとしても、そのような状態を容易に判別することができる。
【０１０７】
また、第１ストリップライン９２は、受動部品であるため、余分な電流を消費しない。しかも、第１ストリップライン９２を安価な部材で形成できるため、電池パック９０のコストアップを抑制することができ、また、第１ストリップライン９２を薄い部材で形成できるため、電池パック９０のサイズアップ（特に厚み方向のサイズアップ）を抑制することができる。
【０１０８】
また、本実施形態の携帯電話機１は、所定の送信波を送信する送信部８４ａと、送信部８４ａに所定の送信波を送信させるように制御するとともに、当該送信波を第１ストリップライン９２において受信した受信波を送信波と比較し、該送信波に対する受信波の劣化状態に基づいて、装着されている電池パックが磁性シートを有するかを判定する制御部８６ｃとを備えている。
【０１０９】
このように、電池パック９０が第１ストリップライン９２を備え、携帯電話機１が送信部８４ａ及び制御部８６ｃを備えているため、電池パックの真贋及び／又は電池パックにおける磁性シートの有無を容易に判定することができる。従って、形状や電圧の一致する不正品や、形状及び電圧が一致するが磁性シートを有さない正規品が携帯電話機１に装着されたとしても、そのような状態を容易に判別することができる。
【０１１０】
また、制御部８６ｃは、磁性シートを有さない電池パックが装着されていると判定すると、メイン表示部３４ａ及び／又はサブ表示部３６ａに、磁界通信部８６ｆが使用不可であることを表示させる。そのため、磁界通信部８６ｆが使用不可であることをユーザに容易に報知することができる。
【０１１１】
また、制御部８６ｃは、磁性シートを有さない電池パックが装着されていると判定すると、磁界通信部８６ｆが有するアンテナ整合回路を、磁性シートを有さないときの状態にマッチするように調整する。そのため、磁性シートを有さない電池パックによる影響を最小限に抑え、当該電池パックを利用することができる。
【０１１２】
以上、本発明の一実施形態について説明したが、本発明は前述した実施形態に制限されるものではなく、適宜変更が可能である。例えば、図１４及び図１５に示すように、第２ストリップライン８５’は、主回路基板８０の表面に印刷されたパターンから構成することができる。図１４（ａ）は、第２ストリップライン８５’の構成が異なる操作部側筐体２をリアケース２２側から示す背面図（図８（ａ）対応図）であり、図１４（ｂ）は、電池パック９０を第１ストリップライン９２側から視た正面図（図８（ｂ）対応図）である。図１５は、図１４に示す操作部側筐体２から電池パック９０を取り外した状態を模式的に示す断面図（図９対応図）である。第２ストリップライン８５’は、絶縁性を有する被覆シート８５ｃによって被覆されている。
【０１１３】
また、前記実施形態においては、電池判別回路部８４の送信部８４ａを、判別端子８３及び判別電極端子９０ｃを介して第１ストリップライン９２に電気的に接続し、検波部８４ｂを第２ストリップライン８５に電気的に接続しているが、これとは逆に、電池判別回路部８４の送信部８４ａを第２ストリップライン８５に電気的に接続し、検波部８４ｂを、判別端子８３及び判別電極端子９０ｃを介して第１ストリップライン９２に電気的に接続しても、同じ機能を実現できる。
【０１１４】
また、各モデルごとにストリップラインの形状や大きさ、さらには導電率を予め変えておくことにより、正規の電池パックでなければ正規の検波ができなくなるように構成しておいても、正規品かどうかの判別を行うことができる。
【０１１５】
電池パック９０は、それを識別するための固有のＩＤ情報を記憶するＩＤ情報記憶部を備えていてもよく、その場合には、ＩＤ情報記憶部は、判別電極端子９０ｃに電気的に接続される。
【０１１６】
前記実施形態における連結部４は、表示部側筐体３と操作部側筐体２とを開閉軸Ｘを中心に開閉可能に連結しているが、連結部４は、表示部側筐体３と操作部側筐体２とを開閉軸Ｘを中心に開閉可能に連結すると共に、開閉軸Ｘに直交する回動軸を中心に回動可能に連結するいわゆる２軸ヒンジ機構を備えていてもよい。
【０１１７】
また、本発明の携帯電子機器は、前記実施形態のような折り畳み式ではなく、操作部側筐体２と表示部側筐体３とを重ね合わせた状態から一方の筐体を一方向にスライドさせるようにしたスライド式の携帯電子機器であってもよい。また、操作部側筐体２と表示部側筐体３との重ね合せ方向に沿う軸線を中心に一方の筐体を回転させるようにした回転式（リボルバ）の携帯電子機器であってもよい。
【０１１８】
本発明の電池パックは、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン等が挙げられる。
【図面の簡単な説明】
【０１１９】
【図１】本発明の一実施形態の携帯電話機１について、操作部側筐体２と表示部側筐体３とを開いた状態で示す斜視図である。
【図２】図１に示す携帯電話機１を折り畳んだ状態で表示部側筐体３のリアケース３０ｂ側から視た斜視図である。
【図３】図１に示す操作部側筐体２の分解斜視図である。
【図４】本実施形態の電池パック９０について一部を破断して示す斜視図である。
【図５】図４に示す電池パック９０について一部を破断して示す模式的正面図である。
【図６】図５に示す電池パック９０の模式的分解図である。
【図７】図５に示す電池パック９０の回路ブロック図である。
【図８】（ａ）は、蓋部２４が外された状態の操作部側筐体２をリアケース２２側から示す背面図であり、（ｂ）は、電池パック９０を第１ストリップライン９２側から視た正面図である。
【図９】操作部側筐体２から電池パック９０を取り外した状態を模式的に示すＡ−Ａ’部分（図８参照）の断面図である。
【図１０】操作部側筐体２に電池パック９０を装着した状態を模式的に示す断面図である。
【図１１】本実施形態の携帯電話機１の機能を示す機能ブロック図である。
【図１２】電池判別回路部８４を示す回路ブロック図である。
【図１３】携帯電話機１の動作のフローチャートを示す図である。
【図１４】（ａ）は、第２ストリップライン８５’の構成が異なる操作部側筐体２をリアケース２２側から示す背面図（図８（ａ）対応図）であり、（ｂ）は、電池パック９０を第１ストリップライン９２側から視た正面図（図８（ｂ）対応図）である。
【図１５】図１４に示す操作部側筐体２から電池パック９０を取り外した状態を模式的に示す断面図（図９対応図）である。
【符号の説明】
【０１２０】
１  携帯電子機器
３４ａ  メイン表示部
３６ａ  サブ表示部
８２  給電端子
８３  判別端子
８４ａ  送信部
９０  電池パック
９０ａ  パック正極端子
９０ｂ  パック負極端子
９０ｃ  判別電極端子
９１  電池セル
９１ａ  正極
９１ｂ  負極
９２  ストリップライン
９２ａ  一端
９３  磁性シート
８６ｃ  制御部
８６ｆ  磁界通信部
【図１】
0005330701.tif 000002
【図２】
0005330701.tif 000003
【図３】
0005330701.tif 000004
【図４】
0005330701.tif 000005
【図５】
0005330701.tif 000006
【図６】
0005330701.tif 000007
【図７】
0005330701.tif 000008
【図８】
0005330701.tif 000009
【図９】
0005330701.tif 000010
【図１０】
0005330701.tif 000011
【図１１】
0005330701.tif 000012
【図１２】
0005330701.tif 000013
【図１３】
0005330701.tif 000014
【図１４】
0005330701.tif 000015
【図１５】
0005330701.tif 000016